(57)【要約】【課題】誤動作が発生しにくく、取り扱いが容易で、現場作業者が簡単に裁断長さを設定できる裁断装置を提供する。【解決手段】切刃１１を備えた切断機１と、長尺物体３の一端部を係止してその他端部を前記切断機１の切刃側に突出させて支持する位置決め装置２とからなり、該位置決め装置２の支持台２１，２１上にはストッパー部材３がスライド可能に配設されている。該ストッパー部材２３にはベルト２３４を介して駆動モータ２４が接続しており、該駆動モータ２４がエンコーダからのパルス信号に同調して回転したとき、前記ストッパー部材２３が支持台２１，２１上をスライドして切断機１の切刃１１までの距離が設定される。【選択図】      図１
2005014151.tif 000002
【特許請求の範囲】
【請求項１】
切刃を備えた切断機と、長尺物体の一端部を係止してその他端部を前記切断機の切刃側に突出させて支持する位置決め装置とからなり、該位置決め装置の支持台上にはストッパー部材がスライド可能に配設されると共に、該ストッパー部材にはベルトを介して駆動モータが接続しており、該駆動モータがエンコーダからのパルス信号に同調して回転したとき、前記ストッパー部材が支持台上をスライドして切断機の切刃までの距離が設定されることを特徴とする裁断装置。
【発明の詳細な説明】
【０００１】
【発明の属する技術分野】
本発明は、建材、型材、パイプ等の長尺物体を所定長さに裁断する際に好適に使用できる裁断装置に関する。
【０００２】
【従来の技術】
建材、型材、パイプ等の長尺物体は加工工場で定尺長さに切断された後、その使用目的、用途、サイズ等に応じて所定長さに裁断される。従来、この長尺の建材、型材等の長尺物体を所定長さに裁断する場合には、該長尺物体を載置する支持面に裁断長さを表示するスケール目盛りが表示された位置決め装置が使用されており、前記支持面上に載置した長尺物体の一端部を所望のスケール目盛りに合わせて保持すると共に、その他端側を切断機の切刃側に突出させて所定寸法に裁断していた。しかしながら、このスケール目盛りが付されただけの位置決め装置を使用して長尺物を裁断する場合には、スケール目盛りの見誤りや読み取り不良等の人為的ミスによって裁断長さにばらつきが発生することがあった。
【０００３】
そこで、これらの人為的ミスを解消するために、例えば特許文献１に示すようなコンピータ操作によって切刃までの裁断長さを適宜設定できる位置決め装置が提案されているが、この装置は機構が複雑で高価となるだけでなく、その取り扱いに熟練を要するという問題もあった。
【０００４】
【特許文献】
実開平６−１７８２１号
【０００５】
【発明が解決しようとする課題】
本発明は、かかる課題を解決するものであって、誤動作が発生しにくく、取り扱いが容易で、現場作業者が簡単に裁断長さを設定できる裁断装置を提供するものである。
【０００６】
【課題を解決するための手段】
本発明の裁断装置は、切刃を備えた切断機と、長尺物体の一端部を係止してその他端部を前記切断機の切刃側に突出させて支持する位置決め装置とからなり、該位置決め装置の支持台上にはストッパー部材がスライド可能に配設されると共に、該ストッパー部材にはベルトを介して駆動モータが接続しており、該駆動モータがエンコーダからのパルス信号に同調して回転したとき、前記ストッパー部材が支持台上をスライドして切断機の切刃までの距離が設定されることを特徴とする。
【０００７】
【発明の実施の形態】
以下、本発明の実施の態様を図面にて詳細に説明する。
図１は本発明の一実施例を示す裁断装置の平面図、図２は図１に示した裁断装置の正面図、図３は図２におけるＡ−Ａ線断面図であって、１は切断機、２は位置決め装置である。図中に二点鎖線で示した符号３は建材、型材、パイプ等の長尺物体である。
【０００８】
切断機１は上下に一対の切刃１１、１１を備えており、上方に位置する切刃１１が油圧シリンダー、トグル装置等の作動によって降下したとき、下方に位置する切刃１１と歯合して長尺物体３が裁断されるものである。
【０００９】
位置決め装置２は前記切断機１と隣接して配置されており、該位置決め装置２の架台２０の上面が前記切断機１の架台上面、つまり下方の切刃１１とほぼ同じ高さ位置となるように設定されている。架台２０上面には断面コ字状の支持台２１，２１が背中合わせの状態で並設されており、該支持台２１，２１の間に所定間隔でローラ２２が回転自在に軸支されている。前記各ローラ２２の上部は支持台２１，２１の上面より若干突出しており、該支持台２１，２１上に載置された長尺物体３は各ローラ２２からなるコンベアによって支持される。
【００１０】
また、前記支持台２１，２１と並行して架台２０上に断面Ｕ字状の案内部材２３１が配設されている。案内部材２３１には上方からストッパー部材２３の支持部２３２が遊嵌しており、該案内部材２３１にガイドされてストッパー部材２３が移動できるようになっている。即ち、ストッパー部材２３の支持部２３２の外壁面には断面半球状の窪みが設けられており、該窪みに回転自在に装着された鋼球２３３が前記案内部材２３１の内壁面に形成された断面半円弧状のスライド溝に係合して移動できるようになっている。
【００１１】
一方、支持部２３２の下方には、タイミングベルト２３４が差し渡されており、該タイミングベルト２３４に駆動モータ２４が接続している。前記駆動モータ２４はエンコーダからのパルス信号に同調して回転数が制御されるようになっており、ティチングボックス２５のキーボードから予め設定された数値を入力すると、この入力数値に応じたパルス信号がエンコーダから駆動モータ２４に送信されて所定の回転数だけ回転することによりストッパー部材２３が支持台２１，２１上を移動して予め設定された位置に停止する。
【００１２】
前記ストッパー部材２３の移動距離は、例えば次のように設定される。図１において、切断機１の切刃１１から位置決め装置２の基準点までの距離を基準長さＬ０に設定し、この基準長さＬ０に所定の移動距離Ｌ１を加算した数値をパルス信号でエンコーダから駆動モータ２４に入力したとき、駆動モータ２４が回転してタイミングベルト２３４と接続しているストッパー部材２３が基準点から距離Ｌ１だけ離れた位置まで移動して停止するように設定する。
【００１３】
本発明では、長尺物体の使用目的、用途、サイズ等に応じて予め設定されている裁断長さＬ２を決定し、この裁断長さＬ２に対応する数値をティチングボックス２５のキーボードからエンコーダに入力してストッパー部材２３を所定位置に設定する。そこで、長尺物体３の一端部をストッパー部材２３に係止してその他端部を切断機１の切刃側に突出させ、上方に位置する切刃１１を降下させることによって、長尺物体３を所定長さに裁断することができる。
【００１４】
【発明の効果】
以上詳述した如く、本発明の裁断装置は、エンコーダからのパルス信号で駆動モータを回転させることによって、ストッパー部材を支持台上の所定位置まで移動させるものであって、長尺物体の裁断長さに合わせてストッパー部材の位置を簡単に設定できので、誤動作が発生しにくく、取り扱いが容易で、現場作業者が簡単に裁断長さを設定できる。
【図面の簡単な説明】
【図１】図１は本発明の一実施例を示す裁断装置の平面図である。
【図２】図２は図１に示した裁断装置の正面図である。
【図３】図３は図２におけるＡ−Ａ線断面図である。
【符号の説明】
１    切断機
１１  切刃
２    位置決め装置
２１  支持台
２３  ストッパー部材
２４  駆動モータ
３    長尺物体
【図１】
2005014151.tif 000003
【図２】
2005014151.tif 000004
【図３】
2005014151.tif 000005